(57)【要約】  送風装置（１０１）は、空気の流入口（１１）および吹出口（１２）を有する筐体（１）と、筐体（１）の内部に配置された送風ファン（５）と、流入口（１１）から離隔しつつ流入口（１１）を覆って筐体（１）に着脱可能に取り付けられたカバー部材（２）と、流入口（１１）を遮りつつ空気は通過可能なように配置されたフィルタ（４）とを備え、フィルタ（４）とカバー部材（２）とに取り囲まれた空間を第１空間（２０）と呼ぶこととすると、カバー部材（２）は、第１空間（２０）への空気の吸込口を有し、第１空間（２０）内には網部材（１５）が配置されている。
2018230007.tif 000002
【特許請求の範囲】
【請求項１】
空気の流入口および吹出口を有する筐体と、
前記筐体の内部に配置された送風ファンと、
前記流入口から離隔しつつ前記流入口を覆って前記筐体に着脱可能に取り付けられたカバー部材と、
前記流入口を遮りつつ空気は通過可能なように配置されたフィルタとを備え、
前記フィルタと前記カバー部材とに取り囲まれた空間を第１空間と呼ぶこととすると、前記カバー部材は、前記第１空間への空気の吸込口を有し、前記第１空間内には網部材が配置されている、送風装置。
【請求項２】
前記カバー部材は、前記流入口に対向するように板状部を備え、
前記網部材は、前記板状部から離隔した部分を含むように配置されている、請求項１に記載の送風装置。
【請求項３】
前記網部材には、殺虫成分が含まれている、請求項１または２に記載の送風装置。
【請求項４】
前記第１空間の下方に、落下してきたものを受けるトレイを備える、請求項１から３のいずれかに記載の送風装置。
【請求項５】
前記トレイの内面を覆うようにシートが配置されており、前記シートは前記トレイから取り外して廃棄することが可能である、請求項４に記載の送風装置。
【請求項６】
前記シートの前記トレイとは反対側の表面に粘着剤が配置されている、請求項５に記載の送風装置。
【発明の詳細な説明】
【技術分野】
【０００１】
本発明は、送風装置に関するものである。本出願は、２０１７年６月１６日に出願した日本特許出願である特願２０１７−１１８８３７号に基づく優先権を主張する。当該日本特許出願に記載された全ての記載内容は、参照によって本明細書に援用される。
【背景技術】
【０００２】
虫を捕獲することができる送風装置の一例が特開２０１６−２０８９３５号公報（特許文献１）に記載されている。この送風装置は、カバー部材の内面に配置された捕虫部を備えている。捕虫部は、表面に粘着剤を配置した捕虫シートを含む。
【先行技術文献】
【特許文献】
【０００３】
【特許文献１】特開２０１６−２０８９３５号公報
【発明の概要】
【発明が解決しようとする課題】
【０００４】
捕虫シートに配置された粘着剤は時間が経つと劣化してくる場合がある。また、粉塵、ホコリなどが多い環境で使用した場合には、粉塵、ホコリなどが捕虫シートに付着することにより、捕虫シートが捕虫できる寿命が極端に短くなる場合がある。【０００５】
そこで、本発明は、捕虫性能を発揮する部分が、粉塵、ホコリなどの影響で早期に劣化する現象を回避することができる送風装置を提供することを目的とする。
【課題を解決するための手段】
【０００６】
上記目的を達成するため、本発明に基づく送風装置は、空気の流入口および吹出口を有する筐体と、上記筐体の内部に配置された送風ファンと、上記流入口から離隔しつつ上記流入口を覆って上記筐体に着脱可能に取り付けられたカバー部材と、上記流入口を遮りつつ空気は通過可能なように配置されたフィルタとを備える。上記フィルタと上記カバー部材とに取り囲まれた空間を第１空間と呼ぶこととすると、上記カバー部材は、上記第１空間への空気の吸込口を有し、上記第１空間内には網部材が配置されている。
【発明の効果】
【０００７】
本発明によれば、第１空間内に吸い込まれた虫は、第１空間内で網部材に衝突するなどして死ぬか、あるいは、たとえ即座に死なないとしても動く力を奪われ、捕獲される確率が高まる。このように用いられる網部材には粘着剤が不要であるので、捕虫性能を発揮する部分が、粉塵、ホコリなどの影響で早期に劣化する現象を回避することができる送風装置を実現することができる。
【図面の簡単な説明】
【０００８】
【図１】本発明に基づく実施の形態１における送風装置の斜視図である。
【図２】本発明に基づく実施の形態１における送風装置の断面図である。
【図３】本発明に基づく実施の形態２における送風装置の断面図である。
【図４】本発明に基づく実施の形態３における送風装置の断面図である。
【図５】本発明に基づく実施の形態４における送風装置の断面図である。
【図６】本発明に基づく実施の形態５における送風装置の断面図である。
【図７】本発明に基づく実施の形態５における送風装置に備わるトレイの斜視図である。
【図８】本発明に基づく実施の形態５における送風装置に備わるトレイの内側に設置することができるシートの展開状態での平面図である。
【図９】本発明に基づく実施の形態５における送風装置に備わるトレイの内側に設置することができるシートを折り畳んで容器状にした状態での斜視図である。
【図１０】トレイに設置するためのシートを他の様式で折り畳んだ状態の斜視図である。
【図１１】トレイの変形例の斜視図である。
【図１２】トレイにシートを載せた状態の部分断面図である。
【発明を実施するための形態】
【０００９】
（実施の形態１）
図１〜図２を参照して、本発明に基づく実施の形態１における送風装置１０１について説明する。送風装置１０１の外観を図１に示す。送風装置１０１は、筐体１と筐体１の一方の側に取り付けられたカバー部材２とを含む。ここで示す例では、筐体１は前側の上部に操作パネル３を備える。筐体１の背面側にカバー部材２が着脱自在に取り付けられている。送風装置１０１の断面図を図２に示す。図２では、空気の流れが白抜き矢印で示されている。流入口１１から入った空気は、フィルタ４を通過した後で、ＨＥＰＡフィルタ６を通過し、吹出口１２から外部に放出される。
【００１０】
本実施の形態における送風装置１０１は、空気の流入口１１および吹出口１２を有する筐体１と、筐体１の内部に配置された送風ファン５と、流入口１１から離隔しつつ流入口１１を覆って筐体１に着脱可能に取り付けられたカバー部材２と、流入口１１を遮りつつ空気は通過可能なように配置されたフィルタ４とを備える。フィルタ４は、プレフィルタとも呼ばれる。フィルタ４とカバー部材２とに取り囲まれた空間を第１空間２０と呼ぶこととすると、カバー部材２は、第１空間２０への空気の吸込口１３を有する。第１空間２０内には網部材１５が配置されている。
【００１１】
ここでは、網部材１５は、筐体１の背面側に支持されている。網部材１５は、フィルタ４と平行に配置されている。網部材１５は、フィルタ４から離隔するように配置されている。
【００１２】
なお、筐体１内のいずれかの場所にイオン発生装置（図示せず）を設置しておいて、空気中に何らかのイオンを付与することとしてもよい。ここで示した送風ファン５の構造は、あくまで説明の便宜のために示した一例であって、この構造のものに限らない。
【００１３】
本実施の形態では、第１空間２０内に網部材１５が配置されているので、吸込口１３から第１空間２０内に吸い込まれた虫は、第１空間２０内で網部材１５に衝突するなどして死ぬか、あるいは、たとえ即座に死なないとしても動く力を奪われ、捕獲される確率が高まる。網部材１５には粘着性は不要である。
【００１４】
本実施の形態における送風装置１０１では、網部材１５に粘着性を持たせる必要がないので、たとえ粉塵、ホコリなどが多い環境で使用したとしても、捕虫性能を発揮する部分が、粉塵、ホコリなどの影響で早期に劣化する現象を回避することができる。
【００１５】
図２に示すように、カバー部材２は、流入口１１に対向するように板状部２１を備え、網部材１５は、板状部２１から離隔した部分を含むように配置されていることが好ましい。この構成を採用することにより、第１空間２０内に入り込んだ虫が板状部２１と網部材１５との間に入り込みやすくなるので、虫を効率良く弱らせることができ、捕獲の効率を上げることができる。
【００１６】
網部材１５には、殺虫成分が含まれていることが好ましい。殺虫成分は、網部材１５の繊維の表面に塗布されているだけであってもよいが、網部材１５の繊維の表面だけでなく繊維の内部にまでに殺虫成分が含まれていてもよい。網部材１５が殺虫成分を含んでいることにより、虫を効率良く殺し、または弱らせることができ、捕獲の効率を上げることができる。殺虫成分を含む網部材１５は、公知技術により実現することができる。網部材１５に殺虫成分が含まれていることが好ましいという点は、以降に説明する他の実施の形態においてもあてはまることである。
【００１７】
ここでいう、「虫」とは、たとえば蚊であってもよく、コバエ、ハエなどであってもよい。蚊としては、たとえばアカイエカ、ヒトスジシマカ、チカイエカなどが挙げられる。コバエとしては、たとえばキイロショウジョウバエ、オオチョウバエ、クサビノミバエなどが挙げられる。ただし、虫の種類はこれらに限られるわけではない。
【００１８】
網部材１５の色は暗色が好ましい。網部材１５の色は黒であることが特に好ましい。
（実施の形態２）
図３を参照して、本発明に基づく実施の形態２における送風装置１０２について説明する。送風装置１０２においては、網部材１５はカバー部材２に支持されている。他の構成は、実施の形態１で説明したのと同様である。
【００１９】
本実施の形態においても、実施の形態１と同様の効果を得ることができる。本実施の形態では、網部材１５がカバー部材２によって支持されているので、カバー部材２を筐体１から取り外した際には、網部材１５はカバー部材２と一体となって取り出すことができる。したがって、本実施の形態では、網部材１５のメンテナンスが行ないやすい。
【００２０】
（実施の形態３）
図４を参照して、本発明に基づく実施の形態３における送風装置１０３について説明する。送風装置１０３においては、網部材１５はフィルタ４に隣接するようにして筐体１によって支持されている。他の構成は、実施の形態１で説明したのと同様である。
【００２１】
本実施の形態においても、実施の形態１と同様の効果を得ることができる。本実施の形態では、網部材１５がフィルタ４に隣接しているので、第１空間２０が狭い場合にも網部材１５を設置しやすい。
【００２２】
（実施の形態４）
図５を参照して、本発明に基づく実施の形態４における送風装置１０４について説明する。送風装置１０４においては、網部材１５はカバー部材２に隣接するようにしてカバー部材２によって支持されている。他の構成は、実施の形態１で説明したのと同様である。
【００２３】
本実施の形態においても、実施の形態１と同様の効果を得ることができる。本実施の形態では、網部材１５がカバー部材２に隣接しているので、第１空間２０が狭い場合にも網部材１５を設置しやすい。
【００２４】
（実施の形態５）
図６〜図７を参照して、本発明に基づく実施の形態５における送風装置１０５について説明する。送風装置１０５は、第１空間２０の下方に、落下してきたものを受けるトレイ７を備える。トレイ７を単独で取り出したところを図７に示す。他の構成は、実施の形態１で説明したのと同様である。
【００２５】
本実施の形態では、第１空間２０の下方に、落下してきたものを受けるトレイ７を備えるので、第１空間２０内で死んだり弱ったりして落下した虫はトレイ７によって受けられる。虫の死骸などはトレイ７によって一括して受けて廃棄することができるので、ユーザにとって好都合である。落下した虫がトレイ７によって受け止められるので、虫の死骸が床に散らばることを防止することができる。
【００２６】
図８にシート８の一例を示す。このシート８は長方形である。図７における破線はシート８を折るべき線を示している。シート８を折り畳んで容器状とした一例を図９に示す。本実施の形態において、トレイ７の内面を覆うようにシート８が配置されており、シート８はトレイ７から取り外して廃棄することが可能であることが好ましい。シート８の折り畳み方は、図１０に示すようなものであってもよい。図１０に示すように折り畳んだ場合、長辺に沿ったシートの山折り部分はトレイの側壁に被せるように設置してもよい。
【００２７】
図７に示したトレイ７に代えて、図１１に示すトレイ７ｉのようなものも採用可能である。トレイ７では、四辺とも側壁が立ち上がっていたが、トレイ７ｉでは四辺のうち１辺においては側壁がない。トレイ７ｉを用いる場合は、容器状に折り畳んだシート８を取り出す際に、トレイ７ｉ自体を引き出さなくても、側壁がない側からシート８のみを側方に引き出すことができる。
【００２８】
トレイ７にシート８を載せた状態の部分断面図の一例を図１２に示す。シート８のトレイ７とは反対側の表面に粘着剤１６が配置されていることが好ましい。このように粘着剤１６が配置されていれば、落下してきた虫などを粘着剤１６によって固定することができる。したがって、落下物が再び舞い上がることを防止することができる。
【００２９】
なお、上記実施の形態のうち複数を適宜組み合わせて採用してもよい。
なお、今回開示した上記実施の形態はすべての点で例示であって制限的なものではない。本発明の範囲は請求の範囲によって示され、請求の範囲と均等の意味および範囲内でのすべての変更を含むものである。
【符号の説明】
【００３０】
１  筐体、２  カバー部材、３  操作パネル、４  フィルタ（プレフィルタ）、５  送風ファン、６  ＨＥＰＡフィルタ、７，７ｉ  トレイ、８  シート、１１  流入口、１２  吹出口、１３  吸込口、１５  網部材、１６  粘着剤、２０  第１空間、２１  板状部、１０１，１０２，１０３，１０４，１０５  送風装置。
【図１】
2018230007.tif 000003
【図２】
2018230007.tif 000004
【図３】
2018230007.tif 000005
【図４】
2018230007.tif 000006
【図５】
2018230007.tif 000007
【図６】
2018230007.tif 000008
【図７】
2018230007.tif 000009
【図８】
2018230007.tif 000010
【図９】
2018230007.tif 000011
【図１０】
2018230007.tif 000012
【図１１】
2018230007.tif 000013
【図１２】
2018230007.tif 000014
【国際調査報告】
2018230007.tif 000015
2018230007.tif 000016
2018230007.tif 000017
2018230007.tif 000018